(57)【要約】【課題】携帯型情報端末と接続可能なテレビジョン受像機において、内蔵のデコーダを有していない場合でも、記憶媒体に記憶されたマルチメディアファイルのデータに基づく映像を表示できるようにする。【解決手段】ＵＳＢメモリに記憶されたマルチメディアファイルの中から、ユーザにより選択されたマルチメディアファイルのデータをデコード可能なデコーダを、ＴＶ受像機自体が有していない場合に、ＴＶ受像機のＣＰＵが、選択されたマルチメディアファイルのデータと、このデータをデコードするように要求するためのデコード要求コマンドとを、スマートフォンに送信して（Ｓ７）、スマートフォン側の各種デコーダにより得られた映像信号及び／又は音声信号を受信するようにした。これにより、ＴＶ受像機のＣＰＵが、選択したマルチメディアファイルのデータに基づく映像及び／又は音声を、液晶表示パネル及びスピーカに出力することができる（Ｓ８）。【選択図】図４
2013168750.tif 000002
【特許請求の範囲】
【請求項１】
携帯型情報端末と接続可能であり、
前記携帯型情報端末に対してデータの送受信を行うための情報端末用送受信手段と、
記憶媒体からデータを受信するための記憶媒体用受信手段と、
前記情報端末用送受信手段によって前記携帯型情報端末から受信した映像信号に基づく映像を表示する表示手段と、
前記情報端末用送受信手段によって前記携帯型情報端末から受信した音声信号に基づく音声を出力するスピーカとを備えたテレビジョン受像機において、
前記記憶媒体に記憶されたマルチメディアファイルのデータが、前記携帯型情報端末側のデコーダでデコード可能であるか否かを判定する判定手段と、
前記判定手段によりデコード可能であると判定されたデータを格納したマルチメディアファイルの中から、再生対象となるマルチメディアファイルを選択するための選択手段と、
前記選択手段を用いてユーザにより選択されたマルチメディアファイルのデータを、前記記憶媒体用受信手段を用いて前記記憶媒体から受信すると共に、受信したマルチメディアファイルのデータと、このマルチメディアファイルのデータをデコードするように要求するためのデコード要求コマンドとを、前記情報端末用送受信手段を用いて前記携帯型情報端末に送信するマルチメディアファイル送受信制御手段と、
前記携帯型情報端末側のデコーダが前記マルチメディアファイルのデータをデコードすることにより得た映像信号及び／又は音声信号を、前記情報端末用送受信手段を用いて前記携帯型情報端末から受信する信号受信制御手段とをさらに備えたことを特徴とするテレビジョン受像機。
【請求項２】
前記判定手段は、前記携帯型情報端末に対して、該携帯型情報端末側のデコーダでデコード可能なデータのフォーマットの種類を示すデコード可能フォーマット情報の送信を要求し、この要求に応じて前記携帯型情報端末から送信された前記デコード可能フォーマット情報に基づいて、前記記憶媒体に記憶されたマルチメディアファイルのデータが、前記携帯型情報端末側のデコーダでデコード可能であるか否かを判定することを特徴とする請求項１に記載のテレビジョン受像機。
【請求項３】
前記記憶媒体に記憶されたマルチメディアファイルのうち、前記判定手段によりデコード可能であると判定されたデータを格納したマルチメディアファイルのみを、前記表示手段に表示して、再生対象となるマルチメディアファイルを前記選択手段により選択するようにユーザを促す選択促進手段をさらに備えたことを特徴とする請求項１又は請求項２に記載のテレビジョン受像機。
【請求項４】
前記記憶媒体が、携帯型メモリであることを特徴とする請求項１乃至請求項３のいずれか一項に記載のテレビジョン受像機。
【発明の詳細な説明】
【技術分野】
【０００１】
本発明は、スマートフォン等の携帯型情報端末と接続可能なテレビジョン受像機に関する。
【背景技術】
【０００２】
従来から、ＵＳＢ（Ｕｎｉｖｅｒｓａｌ Ｓｅｒｉａｌ Ｂｕｓ）メモリ等の記憶媒体の接続用端子を有し、この記憶媒体に記憶されたマルチメディアファイル（圧縮動画データや圧縮音声データを格納したファイル）を受信して再生することが可能なテレビジョン受像機がある。
【０００３】
また、近年、スマートフォン等の携帯型情報端末とＭＨＬ（Ｍｏｂｉｌｅ  Ｈｉｇｈ  ｄｅｆｉｎｉｔｉｏｎ  Ｌｉｎｋ）ケーブルを介して接続して、携帯型情報端末から受信した映像信号や音声信号に基づく映像や音声を表示することができるテレビジョン受像機が増えてきている。ここで、ＭＨＬとは、携帯型情報端末とテレビジョン受像機等の表示機器とを接続するために用いられる携帯型情報端末向けの高速映像音声伝送用のインタフェースの規格であり、携帯型情報端末側のコネクタとして、携帯型情報端末に既存のマイクロＵＳＢコネクタを用いることが可能である。
【０００４】
また、テレビからコネクタを介して受信したアナログ映像信号をディジタル映像信号に復調（変換）した後、このディジタル映像信号に基づく映像を自機の表示部に表示するか、又はこのディジタル映像信号を基地局のサーバに保存する携帯型情報端末が知られている（特許文献１参照）。
【先行技術文献】
【特許文献】
【０００５】
【特許文献１】特開２００５−７３１４５号公報
【発明の概要】
【発明が解決しようとする課題】
【０００６】
上記従来の記憶媒体に記憶されたマルチメディアファイルを受信することが可能なテレビジョン受像機には、以下の問題があった。すなわち、近年、マルチメディアファイルのデータフォーマットの種類が増えてきている。具体的には、圧縮動画データ格納用のファイルのデータフォーマットとしては、ＭＰ４（ＭＰＥＧ−４  Ｐａｒｔ１４）、ＷＭＶ（Ｗｉｎｄｏｗｓ  Ｍｅｄｉａ  Ｖｉｄｅｏ）、ＡＶＩ（Ａｕｄｉｏ  Ｖｉｄｅｏ  Ｉｎｔｅｒｌｅａｖｉｎｇ）等のデータフォーマットがあり、圧縮音声データ格納用のファイルのデータフォーマットとしては、ＭＰ３（ＭＰＥＧ  Ａｕｄｉｏ  Ｌａｙｅｒ−３）等のデータフォーマットがある。このような多種類のデータフォーマットのマルチメディアファイルに対応するために、多種類のデコーダをテレビジョン受像機に搭載したとすると、テレビジョン受像機の製造コストの上昇につながる。なお、上記特許文献１に示される発明では、上記の問題を解消することはできない。
【０００７】
本発明は、上記課題を解決するものであり、自機が記憶媒体に記憶されたマルチメディアファイルのデータをデコード可能なデコーダを有していない場合でも、記憶媒体に記憶されたマルチメディアファイルのデータに基づく映像を表示することが可能なテレビジョン受像機を提供することを目的とする。
【課題を解決するための手段】
【０００８】
上記課題を解決するために、請求項1の発明は、携帯型情報端末と接続可能であり、前記携帯型情報端末に対してデータの送受信を行うための情報端末用送受信手段と、記憶媒体からデータを受信するための記憶媒体用受信手段と、前記情報端末用送受信手段によって前記携帯型情報端末から受信した映像信号に基づく映像を表示する表示手段とを備えたテレビジョン受像機において、前記記憶媒体に記憶されたマルチメディアファイルのデータが、前記携帯型情報端末側のデコーダでデコード可能であるか否かを判定する判定手段と、前記判定手段によりデコード可能であると判定されたデータを格納したマルチメディアファイルの中から、再生対象となるマルチメディアファイルを選択するための選択手段と、前記選択手段により選択されたマルチメディアファイルのデータを、前記記憶媒体用受信手段を用いて前記記憶媒体から受信すると共に、受信したマルチメディアファイルのデータと、このマルチメディアファイルのデータをデコードするように要求するためのデコード要求コマンドとを、前記情報端末用送受信手段を用いて前記携帯型情報端末に送信するマルチメディアファイル送受信制御手段と、前記携帯型情報端末側のデコーダが前記マルチメディアファイルのデータをデコードすることにより得た映像信号及び／又は音声信号を、前記情報端末用送受信手段を用いて前記携帯型情報端末から受信する信号受信制御手段とをさらに備えたものである。
【０００９】
請求項２の発明は、請求項１に記載のテレビジョン受像機において、前記判定手段は、前記携帯型情報端末に対して、該携帯型情報端末側のデコーダでデコード可能なデータのフォーマットの種類を示すデコード可能フォーマット情報の送信を要求し、この要求に応じて前記携帯型情報端末から送信された前記デコード可能フォーマット情報に基づいて、前記記憶媒体に記憶されたマルチメディアファイルのデータが、前記携帯型情報端末側のデコーダでデコード可能であるか否かを判定するものである。
【００１０】
請求項３の発明は、請求項１又は請求項２に記載のテレビジョン受像機において、前記記憶媒体に記憶されたマルチメディアファイルのうち、前記判定手段によりデコード可能であると判定されたデータを格納したマルチメディアファイルのみを、前記表示手段に表示して、再生対象となるマルチメディアファイルを前記選択手段により選択するようにユーザを促す選択促進手段をさらに備えたものである。
【００１１】
請求項４の発明は、請求項１乃至請求項３のいずれか一項に記載のテレビジョン受像機において、前記記憶媒体が携帯型メモリであるものである。
【発明の効果】
【００１２】
請求項１の発明によれば、記憶媒体に記憶されたマルチメディアファイルの中から、ユーザにより選択されたマルチメディアファイルのデータをデコード可能なデコーダを、テレビジョン受像機自体が有していない場合でも、選択されたマルチメディアファイルのデータと、このデータをデコードするように要求するためのデコード要求コマンドとを、携帯型情報端末に送信して、携帯型情報端末側のデコーダにより得られた映像信号及び／又は音声信号を受信することができるので、選択したマルチメディアファイルのデータに基づく映像及び／又は音声を、表示手段及び／又はスピーカに出力することができる。これにより、記憶媒体に記憶される可能性のある多種類のデータフォーマットのマルチメディアファイルに対応するために、多種類のデコーダをテレビジョン受像機自体に搭載する必要がなくなるので、ライセンス料を含む、デコーダ搭載に要するコストの削減を図ることができる。
【００１３】
また、請求項１の発明によれば、記憶媒体に記憶されたマルチメディアファイルのうち、携帯型情報端末側のデコーダでデコード可能なデータを格納したマルチメディアファイルのみを、ユーザが選択手段を用いて選択することができるので、携帯型情報端末側のデコーダでデコードできないデータを格納したマルチメディアファイルを、ユーザが選択してしまうことを防ぐことができる。
【００１４】
請求項２の発明によれば、記憶媒体に記憶されたマルチメディアファイルのデータが、携帯型情報端末側のデコーダでデコード可能であるか否かを、正確に判定することができる。
【００１５】
請求項３の発明によれば、記憶媒体に記憶されたマルチメディアファイルのうち、携帯型情報端末側のデコーダでデコード可能なデータを格納したマルチメディアファイルのみを表示して、再生対象となるマルチメディアファイルを選択するようにユーザを促すことができるので、携帯型情報端末側のデコーダでデコードできないデータを格納したマルチメディアファイルをユーザが選択してしまうことを、より確実に防ぐことができる。
【図面の簡単な説明】
【００１６】
【図１】本発明の第１の実施形態に係るテレビジョン受像機に、スマートフォンとＵＳＢメモリとを接続した場合のデータフローを示す説明図。
【図２】上記テレビジョン受像機の電気的ブロック構成図。
【図３】上記スマートフォンの電気的ブロック構成図。
【図４】上記テレビジョン受像機におけるスマートフォンへのデコード依頼処理のフローチャート。
【図５】上記テレビジョン受像機におけるマルチメディアファイル一覧画面の表示例を示す図。
【図６】本発明の第２の実施形態に係るテレビジョン受像機におけるマルチメディアファイル一覧画面の表示例を示す図。
【発明を実施するための形態】
【００１７】
以下、本発明の実施形態について、図面を参照して説明する。なお、以下に記載した実施形態は、本発明を網羅するものではなく、本発明は、下記の形態だけに限定されない。
【００１８】
図１は、本発明の第１の実施形態によるテレビジョン受像機（以下、ＴＶ受像機という）を示す。このＴＶ受像機１は、ＭＨＬ（Ｍｏｂｉｌｅ  Ｈｉｇｈ  ｄｅｆｉｎｉｔｉｏｎ  Ｌｉｎｋ）ケーブル５を介して、スマートフォン２（携帯型情報端末）と接続可能である。また、ＴＶ受像機１は、ＵＳＢ（Ｕｎｉｖｅｒｓａｌ Ｓｅｒｉａｌ Ｂｕｓ）コネクタ１４ａ（図２参照）を有しており、このＵＳＢコネクタ１４ａを用いてＵＳＢメモリ３（記憶媒体、携帯型メモリ）を接続することができる。
【００１９】
詳細は後述するが、ＴＶ受像機１は、図１中の破線の矢印Ａで示されるように、ＵＳＢメモリ３に記憶されたマルチメディアファイルの中から、ユーザにより選択されたマルチメディアファイルのデータと、このデータをデコードするように要求するためのデコード要求コマンドとを、スマートフォン２に送信することができる。また、本ＴＶ受像機１は、図１中の一点鎖線の矢印Ｂで示されるように、スマートフォン２側の各種デコーダにより得られた映像信号及び音声信号を受信することができる。そして、ユーザにより選択されたマルチメディアファイルのデータに基づく映像及び／又は音声を、液晶表示パネル６（表示手段）及び／又はスピーカ２１（図２参照）に出力することができる。
【００２０】
次に、図２を参照して、上記ＴＶ受像機１の電気的ブロック構成について説明する。ＴＶ受像機１は、装置全体の制御を行うＣＰＵ１１を備えている。また、ＴＶ受像機１は、アンテナ７を介してディジタルテレビジョン放送信号（トランスポートストリーム）を受信するためのチューナ１２と、チューナ１２で受信したトランスポートストリーム中のパケットをデコードすることにより、映像ストリーム、音声ストリーム、データストリームを生成するＭＰＥＧ−２デコーダ１３とを備えている。
【００２１】
また、ＴＶ受像機１は、ＵＳＢメモリ３に対してデータの送受信を行うためのインタフェース回路であるＵＳＢインタフェース１４（記憶媒体用受信手段）を備えている。ＵＳＢインタフェース１４には、上記のＵＳＢコネクタ１４ａが設けられている。さらにまた、ＴＶ受像機１は、スマートフォン２との間でＭＨＬの規格に応じた通信を行う機能と、ＡＶ（Ａｕｄｉｏ／Ｖｉｓｕａｌ）機器との間でＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）の規格に応じた通信を行う機能とを併せ持つインタフェース回路であるＭＨＬ／ＨＤＭＩ通信部１５（情報端末用送受信手段）を備えている。ＴＶ受像機１は、このＭＨＬ／ＨＤＭＩ通信部１５を用いて、スマートフォン２に対するデータの送受信を行う。ＭＨＬ／ＨＤＭＩ通信部１５には、ＭＨＬケーブル５又はＨＤＭＩケーブルの一端が接続されるＨＤＭＩコネクタ１５ａが設けられている。
【００２２】
また、ＴＶ受像機１は、入出力切換部１６を有しており、この入出力切換部１６は、ＣＰＵ１１による制御に応じて、ＭＰＥＧ−２デコーダ１３で生成された映像ストリーム、又はＭＨＬ／ＨＤＭＩ通信部１５により受信した映像信号を、選択的に映像信号処理回路１７に出力する。また、入出力切換部１６は、ＣＰＵ１１による制御に応じて、ＭＰＥＧ−２デコーダ１３で生成された音声ストリーム、又はＭＨＬ／ＨＤＭＩ通信部１５により受信した音声信号を、選択的に音声信号処理回路１９に出力する。また、入出力切換部１６は、ＵＳＢインタフェース１４を用いて受信したマルチメディアファイル（マルチメディアＦ）３１のデータを、ＣＰＵ１１による制御に応じて、デコードするために、ＭＰＥＧ−２デコーダ１３、又はＭＨＬ／ＨＤＭＩ通信部１５（を介してスマートフォン２）に出力する。
【００２３】
さらにまた、ＴＶ受像機１は、入出力切換部１６を介して入力された映像信号に対して画像処理等の各種の処理を施して、これらの処理後の映像信号を再生する映像信号処理回路１７と、映像信号処理回路１７から受信した映像信号に基づいて表示用電極を駆動する電極駆動回路１８と、映像信号処理回路１７による映像信号処理後の映像信号に基づく映像を表示する液晶表示パネル６とを備えている。
【００２４】
また、ＴＶ受像機１は、入出力切換部１６を介して入力された音声信号に対して、各種の音声信号処理（入力された音声信号がディジタル形式の音声信号である場合には、Ｄ／Ａ変換処理も含む）を行う音声信号処理回路１９と、音声信号処理回路１９から出力された音声信号を増幅するアンプ２０と、アンプ２０で増幅された音声信号（駆動信号）に駆動されて音声を出力する内蔵のスピーカ２１とを備えている。
【００２５】
上記のＴＶ受像機１は、各種の指示操作に用いられるリモコン８を有しており、ＴＶ受像機１の本体側には、リモコン８からのリモコン信号を受信するためのリモコン信号受信部２４が設けられている。リモコン８は、上下左右の移動キーと決定キーとから構成される十字キー９（選択手段）を有している。この十字キー９は、ＵＳＢメモリ３に記憶されたマルチメディアファイル３１の中から、再生対象となるマルチメディアファイルを選択するためのユーザ操作に用いられる。また、ＴＶ受像機１は、ＴＶ受像機１全体の制御を行うための制御プログラム２３を含む各種のプログラムやデータを記憶するメモリ２２を有している。この制御プログラム２３とＣＰＵ１１とが、請求項における判定手段、マルチメディアファイル送受信制御手段、及び信号受信制御手段に相当する。また、制御プログラム２３と、ＣＰＵ１１と、後述するマルチメディアファイル一覧画面（図５参照）とが、請求項における選択促進手段に相当する。
【００２６】
次に、図３を参照して、上記スマートフォン２の電気的ブロック構成について説明する。スマートフォン２は、装置全体の制御を行うＣＰＵ４０を備えている。スマートフォン２は、ＭＨＬケーブル５を介してＴＶ受像機１との間でＭＨＬの規格に応じた通信を行う機能と、不図示のＵＳＢケーブルを介してパソコン等の機器との間でＵＳＢの規格に応じた通信を行う機能とを併せ持つインタフェース回路であるＭＨＬ／ＵＳＢ通信部４１を備えている。ＭＨＬ／ＵＳＢ通信部４１には、マイクロＵＳＢコネクタ４１ａが設けられている。また、スマートフォン２は、ＩＰ（Ｉｎｔｅｒｎｅｔ  Ｐｒｏｔｏｃｏｌ）網への無線通信を行うためのＩＰ網用無線通信部４２を備えている。
【００２７】
また、スマートフォン２は、入出力切換部４３と、各種デコーダ４４と、映像信号処理回路４５と、音声信号処理回路４６と、表示部４７と、アンプ４８と、スピーカ４９とを有している。入出力切換部４３は、ＣＰＵ４０による制御に応じて、ＭＨＬ／ＵＳＢ通信部４１やＩＰ網用無線通信部４２から出力されたマルチメディアファイルのデータを、各種デコーダ４４に送る。各種デコーダ４４は、ＭＰ４（ＭＰＥＧ−４  Ｐａｒｔ１４）、ＷＭＶ（Ｗｉｎｄｏｗｓ  Ｍｅｄｉａ  Ｖｉｄｅｏ）、ＡＶＩ（Ａｕｄｉｏ  Ｖｉｄｅｏ  Ｉｎｔｅｒｌｅａｖｉｎｇ）等の圧縮動画データ格納用のマルチメディアファイルのデータをデコードするためのデコーダや、ＭＰ３（ＭＰＥＧ  Ａｕｄｉｏ  Ｌａｙｅｒ−３）等の圧縮音声データ格納用のマルチメディアファイルのデータをデコードするためのデコーダを有している。
【００２８】
各種デコーダ４４は、上記のマルチメディアファイルのデータをデコードして、映像信号や音声信号を生成する。そして、各種デコーダ４４は、通常は、生成した映像信号と音声信号とを、映像信号処理回路４５と、音声信号処理回路４６とに送信する。これに対して、ＴＶ受像機１から、マルチメディアファイルのデータと共に、マルチメディアファイルのデータをデコードするように要求するためのデコード要求コマンドを受信したときには、各種デコーダ４４は、ＣＰＵ４０による制御に応じて、マルチメディアファイルのデータに基づき生成した映像信号や音声信号を、入出力切換部４３を介して、ＭＨＬ／ＵＳＢ通信部４１によりＴＶ受像機１に送信する。
【００２９】
上記の映像信号処理回路４５は、各種デコーダ４４から入力された映像信号に対して画像処理等の各種の処理を施して、これらの処理後の映像信号を表示部４７に出力する。表示部４７は、映像信号処理回路４５による処理後の映像信号に基づく映像を表示する。
【００３０】
上記の音声信号処理回路４６は、各種デコーダ４４から入力された音声信号に対して、各種の音声信号処理（入力された音声信号がディジタル形式の音声信号である場合には、Ｄ／Ａ変換処理も含む）を施して、これらの処理後の音声信号をアンプ４８に出力する。アンプ４８は、音声信号処理回路４６から出力された音声信号を増幅して、スピーカ４９に送る。スピーカ４９は、アンプ４８で増幅された音声信号に駆動されて音声を出力する。
【００３１】
また、スマートフォン２は、スマートフォン２全体の制御を行うための制御プログラム５１、ＶｏＩＰ（Ｖｏｉｃｅ  ｏｖｅｒ  ＩＰ）プログラム５２、及びデコード可能フォーマット情報５３を含む各種のプログラムやデータを記憶するためのメモリ５０を有している。ＶｏＩＰプログラム５２は、ＩＰ網を介して、別の電話と通信（音声通話）を行うためのプログラムである。ＣＰＵ４０は、ＶｏＩＰプログラム５２に基づいて、マイクロフォン５５から送られた音声信号のデータを圧縮してパケット化する処理と、ＩＰ網用無線通信部４２から送られたパケットデータを復号して音声信号に戻す処理とを実行する。デコード可能フォーマット情報５３は、スマートフォン２側のデコーダでデコード可能なデータのフォーマットの種類を示す情報である。上記のマイクロフォン５５は、ユーザによる音声通話時等に、音声の入力に用いられる。また、スマートフォン２は、各種の指示操作に用いられる操作部５４を有している。
【００３２】
次に、上記図１乃至３に加えて、図４のフローチャートを参照して、本ＴＶ受像機１において行われる、スマートフォン２へのデコード依頼処理について説明する。なお、図４のフローチャートにおいて、ＴＶ受像機１のＣＰＵ１１は、制御プログラム２３に従って、以下の各処理を実行し、スマートフォン２のＣＰＵ４０は、制御プログラム５１に従って、以下の各処理を実行する。
【００３３】
今、図１に示されるように、上記のＭＰ４、ＷＭＶ、ＡＶＩ、ＭＰ３等のデータフォーマットのマルチメディアファイルのデータを記憶したＵＳＢメモリ３が、デコーダとしてＭＰＥＧ−２デコーダ１３のみを備えたＴＶ受像機１（のＵＳＢコネクタ１４ａ）に接続され、しかも、上記のように、ＭＰ４、ＷＭＶ、ＡＶＩ、ＭＰ３等のデータフォーマットのマルチメディアファイルのデータをデコードする機能を有する（各種デコーダ４４を備えた）スマートフォン２が、ＭＨＬケーブル５を介してＴＶ受像機１（のＨＤＭＩコネクタ１５ａ）に接続されたとする。
【００３４】
このとき、ＴＶ受像機１のＣＰＵ１１は、ＵＳＢメモリ３に記憶されたマルチメディアファイル３１のデータが、自機の有するＭＰＥＧ−２デコーダ１３でデコード可能であるか否かを判定して、デコード可能であると判定した場合は、ＵＳＢメモリ３に記憶されたマルチメディアファイル３１のデータをＵＳＢインタフェース１４を用いて受信して、受信したマルチメディアファイル３１のデータをＭＰＥＧ−２デコーダ１３でデコードする。そして、ＴＶ受像機１のＣＰＵ１１は、ＭＰＥＧ−２デコーダ１３で生成された映像ストリームと音声ストリームとに基づく映像と音声とを、液晶表示パネル６とスピーカ２１とに出力する。
【００３５】
これに対して、ＵＳＢメモリ３に記憶されたマルチメディアファイル３１のデータが、自機の有するＭＰＥＧ−２デコーダ１３でデコード不可能であると判定した場合は、ＴＶ受像機１のＣＰＵ１１は、スマートフォン２に対して、デコード可能フォーマット情報５３を送信するように要求する（Ｓ１）。この要求に応じてスマートフォン２がデコード可能フォーマット情報５３を送信すると、ＴＶ受像機１のＣＰＵ１１は、送信されたデコード可能フォーマット情報５３を受信して（Ｓ２）、このデコード可能フォーマット情報５３に基づいて、ＵＳＢメモリ３内に、スマートフォン２側のデコーダ（各種デコーダ４４）でデコード可能なマルチメディアファイル３１が有る（記憶されている）か否かを判定する（Ｓ３）。具体的には、ＴＶ受像機１のＣＰＵ１１は、ＵＳＢメモリ３に記憶された全てのマルチメディアファイル３１について、各マルチメディアファイル３１のデータが、スマートフォン２側の各種デコーダ４４でデコード可能であるか否かの判定を繰り返す。
【００３６】
この判定の結果、ＵＳＢメモリ３内に、スマートフォン２側の各種デコーダ４４でデコード可能なマルチメディアファイル３１が有る場合には（Ｓ４でＹＥＳ）、ＴＶ受像機１のＣＰＵ１１は、ＵＳＢメモリ３に記憶されたマルチメディアファイル３１のうち、上記判定においてデコード可能であると判定されたデータを格納したマルチメディアファイル３１のみを、液晶表示パネル６上に一覧表示して（Ｓ５）、再生対象となるマルチメディアファイル３１をリモコン８の十字キー９により選択するようにユーザを促す。すなわち、ＴＶ受像機１のＣＰＵ１１は、図５に示されるように、各種デコーダ４４でデコード可能な各マルチメディアファイル３１のファイル名（Ｆｉｌｅ１〜４等）と、これらのＦｉｌｅ１〜４等のデータフォーマットの種類（ＭＰ４、ＷＭＶ、ＡＶＩ、ＭＰ３等）とを表示したマルチメディアファイル一覧画面６０を、液晶表示パネル６上に表示する。
【００３７】
ユーザが、上記のリモコン８の十字キー９を用いて、マルチメディアファイル一覧画面６０に表示されたマルチメディアファイル３１（Ｆｉｌｅ１〜４等）の中から、再生したいマルチメディアファイル３１を選択すると、ＴＶ受像機１のＣＰＵ１１は、この選択（操作）を検知して（Ｓ６でＹＥＳ）、選択されたマルチメディアファイル３１のデータを、ＵＳＢインタフェース１４を用いてＵＳＢメモリ３から受信すると共に、受信したマルチメディアファイル３１のデータをスマートフォン２に送信して、デコードするように要求する（Ｓ７）。すなわち、ＵＳＢメモリ３から受信したマルチメディアファイル３１のデータと、このマルチメディアファイル３１のデータをデコードするように要求するためのデコード要求コマンドとを、ＭＨＬ／ＨＤＭＩ通信部１５を用いてスマートフォン２に送信する。
【００３８】
上記のマルチメディアファイル３１のデータとデコード要求コマンドのスマートフォン２への送信は、ＭＨＬ／ＨＤＭＩ通信部１５により、ＭＨＬの規格に応じた通信方式で行われる。そして、デコード要求コマンドの送信だけではなく、マルチメディアファイル３１のデータの送信も、ＭＨＬケーブル５における制御線（制御信号送信用のライン）を介して行われる。より具体的に言うと、ＭＨＬ／ＨＤＭＩ通信部１５は、データ送信用のコマンドにおけるＳｃｒａｔｃｈｐａｄの領域に、マルチメディアファイル３１のデータを分割して格納し、この分割データが格納されたデータ送信用のコマンドを、スマートフォン２へ繰り返し送信することにより、マルチメディアファイル３１のデータの全体を、ＭＨＬケーブル５の制御線を介して、ＴＶ受像機１からスマートフォン２へ送信する。
【００３９】
上記Ｓ７の要求に応じて、スマートフォン２のＣＰＵ４０が、ＴＶ受像機１から受信したマルチメディアファイル３１のデータを、各種デコーダ４４を用いてデコードすることにより得た映像信号及び音声信号を、ＭＨＬ／ＵＳＢ通信部４１を用いてＴＶ受像機１に送信すると、ＴＶ受像機１のＣＰＵ１１は、この映像信号及び音声信号を、ＭＨＬ／ＨＤＭＩ通信部１５を用いてスマートフォン２から受信して、受信した映像信号に基づく映像を液晶表示パネル６に表示し、受信した音声信号に基づく音声をスピーカ２１に出力する（Ｓ８）。
【００４０】
なお、ＴＶ受像機１から受信したマルチメディアファイル３１のデータが、ＭＰ３等の圧縮音声データ格納用のマルチメディアファイルのデータである場合には、スマートフォン２のＣＰＵ４０が、各種デコーダ４４を用いてマルチメディアファイル３１のデータをデコードすることにより得る信号は、音声信号のみになる。従って、スマートフォン２のＣＰＵ４０がＴＶ受像機１に送信する信号も、音声信号のみになる。また、ＴＶ受像機１から受信したマルチメディアファイル３１のデータが、音声データを含まない圧縮映像データ格納用のマルチメディアファイルのデータである場合には、スマートフォン２のＣＰＵ４０が、各種デコーダ４４を用いてマルチメディアファイル３１のデータをデコードすることにより得る信号は、映像信号のみになる。従って、スマートフォン２のＣＰＵ４０がＴＶ受像機１に送信する信号も、映像信号のみになる。
【００４１】
上記のように、本実施形態のＴＶ受像機１によれば、ＵＳＢメモリ３に記憶されたマルチメディアファイル３１の中から、ユーザにより選択されたマルチメディアファイル３１のデータをデコード可能なデコーダを、ＴＶ受像機１自体が有していない場合でも、選択されたマルチメディアファイル３１のデータと、このデータをデコードするように要求するためのデコード要求コマンドとを、スマートフォン２に送信して、スマートフォン２側の各種デコーダ４４により得られた映像信号及び／又は音声信号を受信することができるので、選択したマルチメディアファイル３１のデータに基づく映像及び／又は音声を、液晶表示パネル６及びスピーカ２１に出力することができる。これにより、ＵＳＢメモリ３に記憶される可能性のある多種類のデータフォーマットのマルチメディアファイルに対応するために、多種類のデコーダをＴＶ受像機１自体に搭載する必要がなくなるので、ライセンス料を含む、デコーダ搭載に要するコストの削減を図ることができる。
【００４２】
また、本実施形態のＴＶ受像機１によれば、ＵＳＢメモリ３に記憶されたマルチメディアファイル３１のうち、スマートフォン２側の各種デコーダ４４でデコード可能なデータを格納したマルチメディアファイルのみを、ユーザがリモコン８の十字キー９を用いて選択することができるので、スマートフォン２側の各種デコーダ４４でデコードできないデータを格納したマルチメディアファイルを、ユーザが選択してしまうことを防ぐことができる。
【００４３】
さらにまた、本実施形態のＴＶ受像機１によれば、スマートフォン２から送信されたデコード可能フォーマット情報に基づいて、ＵＳＢメモリ３に記憶されたマルチメディアファイル３１のデータが、スマートフォン２側の各種デコーダ４４でデコード可能であるか否かを判定するようにしたことにより、ＵＳＢメモリ３に記憶されたマルチメディアファイル３１のデータが、スマートフォン２側の各種デコーダ４４でデコード可能であるか否かを、正確に判定することができる。
【００４４】
また、本実施形態のＴＶ受像機１によれば、ＵＳＢメモリ３に記憶されたマルチメディアファイル３１のうち、スマートフォン２側の各種デコーダ４４でデコード可能なデータを格納したマルチメディアファイル３１のみを表示して、再生対象となるマルチメディアファイル３１を選択するようにユーザを促すことができるので、スマートフォン２側の各種デコーダ４４でデコードできないデータを格納したマルチメディアファイルをユーザが選択してしまうことを、より確実に防ぐことができる。
【００４５】
次に、図６を参照して、本発明の第２の実施形態によるＴＶ受像機１について説明する。第１の実施形態のＴＶ受像機１では、ＵＳＢメモリ３に記憶されたマルチメディアファイル３１のうち、スマートフォン２側の各種デコーダ４４でデコード可能であると判定されたデータを格納したマルチメディアファイル３１のみを一覧表示した。これに対して、第２の実施形態のＴＶ受像機１では、ＵＳＢメモリ３に記憶されたマルチメディアファイル３１のうち、スマートフォン２側の各種デコーダ４４でデコード可能であると判定されたデータを格納したマルチメディアファイル３１については、通常表示して選択可能な状態にするが、デコード不可能であると判定されたデータを格納したマルチメディアファイル３１については、グレーアウトの状態にする。ここで、グレーアウトの状態とは、薄いグレー（の色）で表示された、選択不可能な状態を意味する。
【００４６】
具体例で説明すると、スマートフォン２側の各種デコーダ４４が、ＷＭＶとＭＰ３のデータフォーマットのマルチメディアファイル３１のデータをデコードする機能を有しており、ＭＰ４とＡＶＩのデータフォーマットのマルチメディアファイル３１のデータをデコードする機能を有していないとする。このとき、図５に示されるマルチメディアファイル（Ｆｉｌｅ１〜４等）と同じファイルが、ＵＳＢメモリ３に記憶されているとすると、ＴＶ受像機１のＣＰＵ１１は、図６のマルチメディアファイル一覧画面６０’に示されるように、ＵＳＢメモリ３に記憶されたマルチメディアファイル３１のうち、スマートフォン２側の各種デコーダ４４でデコード可能であると判定したデータを格納したマルチメディアファイル３１（Ｆｉｌｅ１、Ｆｉｌｅ３等）については、通常表示して選択可能な状態にするが、スマートフォン２側の各種デコーダ４４でデコード不可能であると判定されたデータを格納したマルチメディアファイル３１（Ｆｉｌｅ２、Ｆｉｌｅ４等）については、グレーアウトの状態にして選択できないようにする。従って、ユーザは、マルチメディアファイル一覧画面６０’における、通常表示されたマルチメディアファイル３１（Ｆｉｌｅ１、Ｆｉｌｅ３等）の中から、再生したいマルチメディアファイル３１を選択する。なお、第２の実施形態によるＴＶ受像機１の構成、及び上記の処理以外の処理については、第１の実施形態のＴＶ受像機１と同じである。
【００４７】
なお、本発明は、上記実施形態の構成に限られず、発明の趣旨を変更しない範囲で種々の変形が可能である。例えば、上記実施形態では、請求項における携帯型情報端末が、スマートフォン２である場合の例を示したが、携帯型情報端末は、これに限られず、例えば、いわゆるＰＤＡ（Ｐｅｒｓｏｎａｌ  Ｄｉｇｉｔａｌ  Ａｓｓｉｓｔａｎｔ）であってもよい。また、上記実施形態では、請求項における記憶媒体が、ＵＳＢメモリ３である場合の例を示したが、記憶媒体は、これに限られず、例えば、ＳＤメモリカード等のメモリカードであってもよい。また、ＴＶ受像機とスマートフォンとの通信に用いるインタフェースは、ＭＨＬに限られず、ＨＤＭＩ等の有線通信用のインタフェースであってもよいし、無線通信用のインタフェースであってもよい。
【符号の説明】
【００４８】
１    ＴＶ受像機（テレビジョン受像機）
２    スマートフォン（携帯型情報端末）
３    ＵＳＢメモリ（記憶媒体、携帯型メモリ）
６    液晶表示パネル（表示手段）
１１  ＣＰＵ（判定手段、マルチメディアファイル送受信制御手段、信号受信制御手段、選択促進手段）
１４  ＵＳＢインタフェース（記憶媒体用受信手段）
１５  ＭＨＬ／ＨＤＭＩ通信部（情報端末用送受信手段）
２１  スピーカ
２３  制御プログラム（判定手段、マルチメディアファイル送受信制御手段、信号受信制御手段、選択促進手段）
６０  マルチメディアファイル一覧画面（選択促進手段）
６０’  マルチメディアファイル一覧画面（選択促進手段）
【図１】
2013168750.tif 000003
【図２】
2013168750.tif 000004
【図３】
2013168750.tif 000005
【図４】
2013168750.tif 000006
【図５】
2013168750.tif 000007
【図６】
2013168750.tif 000008